(57)【要約】【課題】光の照射により口内細菌を殺菌することができ、しかも使用者が不安を抱くことなく使用することのできる歯ブラシを提供する。【解決手段】本体部Ｘと、本体部Ｘに着脱可能なブラシ部Ｙと、本体部Ｘに設けられて４００ｎｍ以上の可視光を射出する光源３０とを備え、光源３０からの可視光が、ブラシ部Ｙに導かれて当該ブラシ部Ｙから射出されるようにした。【選択図】図４
0003227705.tif 000002
【実用新案登録請求の範囲】
【請求項１】
本体部と、
前記本体部に着脱可能なブラシ部と、
前記本体部に設けられて４００ｎｍ以上の可視光を射出する光源とを備え、
前記光源からの可視光が、前記ブラシ部に導かれて当該ブラシ部から射出されることを特徴とする歯ブラシ。
【請求項２】
前記光源から射出される光が、４８０ｎｍ以上５２０ｎｍ以下の可視光であることを特徴とする請求項１記載の歯ブラシ。
【請求項３】
前記本体部が、前記光源が設けられて使用者に把持されるグリップ部を有し、
前記ブラシ部が、複数本のブラシが設けられて前記グリップ部の先端部に着脱可能なヘッド部を有し、
前記ヘッド部が、前記ブラシが設けられた先端部から前記グリップ部に着脱される基端部に亘って透光性を有するものであり、前記光源からの可視光を前記ブラシに導く導光部材として機能することを特徴とする請求項１又は２記載の歯ブラシ。
【請求項４】
前記本体部の先端部が使用者の口内に入れられる構成において、
前記ブラシ部が、複数本のブラシと、前記複数本のブラシの毛元が植設されるとともに前記本体部の前記先端部に対して着脱可能な着脱パーツとを有する、請求項１又は２記載の歯ブラシ。
【請求項５】
前記光源からの可視光を前記ブラシの毛元に集光するレンズ部をさらに備えることを特徴とする請求項１乃至４のうち何れか一項に記載の歯ブラシ。
【請求項６】
前記ブラシ部に設けられて、口内の情報である口内情報を取得する口内情報取得手段と、
前記口内情報取得手段により取得された前記口内情報を外部に出力するための出力手段とをさらに備えることを特徴とする請求項１乃至５のうち何れか一項に記載の歯ブラシ。
【請求項７】
前記口内情報取得手段が、口内を撮像する撮像装置又は口内の温度を検出する温度センサの少なくとも何れかであることを特徴とする請求項６記載の歯ブラシ。
【請求項８】
請求項６又は７記載の歯ブラシと、
前記出力手段により出力された前記口内情報を蓄積する口内情報蓄積部とを備えることを特徴とする健康管理システム。
【考案の詳細な説明】
【技術分野】
【０００１】
この考案は、歯ブラシ及びこの歯ブラシを用いた健康管理システムに関するものである。
【背景技術】
【０００２】
従来の歯ブラシとしては、特許文献１に示すように、ピーク波長が２５０ｎｍ以上４００ｎｍ未満の紫外線を発する半導体素子を有し、歯周病菌等の口内細菌を殺菌するための歯ブラシが知られている。
【０００３】
しかしながら、このように紫外線を口内に照射する歯ブラシは、必ずしも安全であるとは限らないという思いを使用者に抱かせてしまうという問題がある。
【先行技術文献】
【特許文献】
【０００４】
【特許文献１】特開２０１７−０６３９５５号公報
【考案の概要】
【考案が解決しようとする課題】
【０００５】
そこで、本考案は、上述した問題を解決すべくなされたものであり、光の照射により口内細菌を殺菌することができ、しかも使用者が不安を抱くことなく使用することのできる歯ブラシを提供することをその主たる所期課題とするものである。
【課題を解決するための手段】
【０００６】
すなわち、本考案に係る歯ブラシは、本体部と、前記本体部に着脱可能なブラシ部と、前記本体部に設けられて４００ｎｍ以上の可視光を射出する光源とを備え、前記光源からの可視光が、前記ブラシ部に導かれて当該ブラシ部から射出されることを特徴とするものである。
【０００７】
このように構成された歯ブラシであれば、４００ｎｍ以上の可視光を用いているので、口内細菌を殺菌することができるうえ、使用者に不安を抱かせることなく使用してもらうことができる。さらに、光源が本体部に設けられているので、ブラシが劣化や消耗した場合には、光源を廃棄することなく本体部に残したまま、ブラシ部のみを交換すれば良いので、歯ブラシの交換費用の軽減をも図れる。
【０００８】
殺菌効果を発揮させつつも、使用者に安心感を抱かせるためには、前記光源から射出される光が、４８０ｎｍ以上５２０ｎｍ以下の可視光であることが好ましい。
【０００９】
前記本体部が、前記光源が設けられて使用者に把持されるグリップ部を有し、前記ブラシ部が、複数本のブラシが設けられて前記グリップ部の先端部に着脱可能なヘッド部を有し、前記ヘッド部が、前記ブラシが設けられた先端部から前記グリップ部に着脱される基端部に亘って透光性を有するものであり、前記光源からの可視光を前記ブラシに導く導光部材として機能することが好ましい。
このような構成であれば、光源からの可視光をブラシに導くための導光部材をヘッド部とは別に設ける必要がなく、部品点数の削減を図れ、安価なものにすることができる。
【００１０】
前記本体部の先端部が使用者の口内に入れられる構成において、前記ブラシ部が、複数本のブラシと、前記複数本のブラシの毛元が植設されるとともに前記本体部の前記先端部に対して着脱可能な着脱パーツとを有することが好ましい。
このような構成であれば、ブラシが劣化や消耗した場合には、汎用可能な光源やグリップ部やヘッド部をも残したまま、着脱パーツとともに複数本のブラシを交換すれば良いので、交換費用のさらなる軽減を図れる。
【００１１】
前記光源からの可視光を前記ブラシの毛元に集光するレンズ部をさらに備えることが好ましい。
このような構成であれば、レンズ部にレンズ効果を発揮させることができ、光源からの可視光を効率良くブラシに導くことができる。
【００１２】
本発明に係る歯ブラシを健康管理に資するものとするためには、前記ブラシ部に設けられて、口内の情報である口内情報を取得する口内情報取得手段と、前記口内情報取得手段により取得された前記口内情報を外部に出力するための出力手段とをさらに備えることが好ましい。
このような構成であれば、歯磨きをしながら口内情報を取得するとともに、その取得した口内情報を外部に出力することができるので、それらの口内情報を外部のコンピュータやサーバなどに蓄積しておくことで、口内情報の変動などを確認することができ、日々の健康管理に資するものとなる。
【００１３】
より具体的な実施態様としては、前記口内情報取得手段が、口内を撮像する撮像装置又は口内の温度を検出する温度センサの少なくとも何れかである態様を挙げることができる。
このようなものであれば、例えば口内の撮像データを蓄積していけば、虫歯や歯周病などの進行具合を確認することができ、その予防に役立つし、口内の温度データを蓄積していけば、例えば女性の排卵日の予測などに役立つ。
【００１４】
また、本発明に係る健康管理システムは、上述した歯ブラシと、前記出力手段により出力された前記口内情報を蓄積する口内情報蓄積部とを備えることを特徴とするものである。
このような健康管理システムによれば、上述したように歯磨きをしながら日々の口内情報を取得することができ、それらの口内情報を口内情報蓄積部に蓄積することができるので、これらの口内情報の変動などを確認することで日々の健康管理に資するものとなる。
【考案の効果】
【００１５】
このように構成された本考案によれば、光の照射により口内細菌を殺菌することができ、しかも使用者が不安を抱くことなく使用することができる。
【図面の簡単な説明】
【００１６】
【図１】本考案の第１実施形態における歯ブラシの構成を示す模式図。
【図２】その他の実施形態における歯ブラシの構成を示す模式図。
【図３】その他の実施形態における歯ブラシの構成を示す模式図。
【図４】その他の実施形態における歯ブラシの構成を示す模式図。
【図５】その他の実施形態における歯ブラシの構成を示す模式図。
【図６】本考案の第２実施形態における歯ブラシの構成を示す模式図。
【考案を実施するための形態】
【００１７】
＜＜第１実施形態＞＞
本考案の第１実施形態について、図面を参照して説明する。
【００１８】
本実施形態に係る歯ブラシ１００は、例えば歯周病の予防などに用いられるものであり、歯を磨きながら歯周病菌等の口内細菌を殺菌するものであり、本体部Ｘと、本体部Ｘに着脱可能なブラシ部Ｙと、本体部Ｘに設けられた光源３０とを備えている。
【００１９】
具体的にこの歯ブラシ１００は、図１に示すように、本体部Ｘが、使用者に把持されるグリップ部１０を有し、ブラシ部Ｙが、ブラシＢが設けられたヘッド部２０を有している。
【００２０】
グリップ部１０は、例えば柱状のものであり、ここでは後述する光源３０用の電池（不図示）や、この電池と光源とを電気的に接続する接続配線（不図示）等を内蔵するものである。
【００２１】
ヘッド部２０は、グリップ部１０に着脱可能なものであり、先端部２１にブラシＢの毛元が埋設されるとともに、基端部２２がグリップ部１０の先端部１１に嵌め込まれるものである。なお、グリップ部１０とヘッド部２０との間の着脱機構の一例としては、例えばグリップ部１０の先端部１１又はヘッド部２０の基端部２２の一方に設けられた凸部と他方に設けられた凹部とから構成されたものを挙げることができる。
本実施形態のヘッド部２０は、先端部２１から基端部２２まで例えば無色透明な透光性を有するものである。なお、ブラシＢの具体例としては、図１に示すように、スイングブラシや歯間用ブラシなど、種々のタイプのものを挙げることができる。
【００２２】
然して、光源３０は、ピーク波長が４００ｎｍ以上の可視光を射出するものである。なお、ここでの歯ブラシ１００は、１つの光源３０を備えるものであるが、異なるピーク波長或いは同じピーク波長の可視光を射出する複数の光源３０を備えていても良い。
【００２３】
この光源３０は、例えばグリップ部１０に設けられたオン・オフスイッチＳを押すことにより点灯・消灯するものであり、より具体的には、上述した電池からの電力が供給されてピーク波長が４８０ｎｍ以上５２０ｎｍ以下の青色の光を発する例えば青色ＬＥＤなどである。
【００２４】
本実施形態の光源３０は、グリップ部１０の先端部１１に例えば埋設されており、ヘッド部２０の基端部２２に臨むように配置されている。かかる構成により、光源３０からの可視光は、ヘッド部２０の基端部２２に向かって射出される。
【００２５】
そして、光源３０から射出された可視光は、ヘッド部２０が上述したように導光部材として機能することによりヘッド部２０の内部を通ってブラシＢの毛元に導かれ、ブラシＢを介して外部に射出される。
【００２６】
このように構成された歯ブラシ１００によれば、ブラシＢから４８０ｎｍ以上５２０ｎｍ以下の青色の可視光を発光するので、光の照射により口内細菌を殺菌することができ、しかも紫外線を利用した歯ブラシとは異なり、使用者が不安を抱くことなく使用することができる。
【００２７】
さらに、光源３０がグリップ部１０に設けられているので、ブラシＢが劣化や消耗した場合には、光源３０を廃棄することなくグリップ部１０に残したまま、ヘッド部２０のみを交換すれば良いので、歯ブラシ１００の交換費用の軽減をも図れる。
【００２８】
なお、本考案は前記第１実施形態に限られるものではない。
【００２９】
例えば、本考案の歯ブラシ１００は、電動式のものであっても良い。この場合、ブラシＢの電動をオン・オフさせる電動用スイッチと、光源のオン・オフスイッチＳと兼用して、例えばブラシＢを電動させる際に光源３０が点灯するように構成しても良いし、電動用スイッチと光源のオン・オフスイッチＳとを別々に設けても良い。
【００３０】
また、前記実施形態では、ヘッド部２０が導光部材として機能する場合について述べたが、ヘッド部２０が例えば不透明で導光部材として機能しない場合などは、図２に示すように、光源３０から射出された可視光をブラシに導く例えばファイバ状の１又は複数の導光部材４０をヘッド部２０内に設けても構わない。
【００３１】
さらに、本考案の歯ブラシ１００としては、図３に示すように、ヘッド部２０が、光源３０から射出された可視光をブラシＢの毛元に集光するレンズ部５０を有していても良い。このレンズ部５０は、ヘッド部２０に内蔵されてブラシＢの毛元に設けられており、例えば半球状など球体の一部をなすものであり、レンズ効果を発揮させるものである。
このような構成であれば、レンズ部５０のレンズ効果により、光源からの可視光を効率良くブラシに導くことができる。
【００３２】
そのうえ、前記実施形態では、グリップ部１０を本体部Ｘの一部として説明し、ヘッド部２０をブラシ部Ｙの一部として説明していたが、図４及び図５に示すように、グリップ部１０及びヘッド部２０が本体部Ｘを構成し、本体部Ｘの先端部が使用者の口内に入れられるものであっても良い。この場合、ブラシ部Ｙとしては、複数本のブラシＢと、これら複数本のブラシＢの毛元が植設されて本体部Ｘの先端部（ヘッド部２０の先端部２１）に着脱可能な着脱パーツＺとを有していても良い。この場合、光源３０は、図４に示すように、例えば着脱パーツＺに臨む位置、すなわちブラシＢの毛元（ヘッド部２０の先端部２１）に設けても良いし、前記実施形態と同様にグリップ部１０に設けても良い。
このような構成であれば、ブラシＢが劣化や消耗した場合には、汎用可能な光源３０やグリップ部１０やヘッド部２０をも残したまま、着脱パーツＺとともに複数本のブラシＢを交換すれば良いので、交換費用のさらなる軽減を図れる。
【００３３】
また、上述した構成において、本体部Ｘとブラシ部Ｙとの着脱機構としては、図５に示すように、例えば本体部Ｘの外周面にブラシ部Ｙの内周面を係合できるような構成を挙げることができ、具体的には本体部Ｘの外周面又はブラシ部Ｙの内周面の一方に設けられた凸部６０と、他方に設けられて凸部６０に係合する凹部７０とからなる構成を挙げることができる。
【００３４】
＜＜第２実施形態＞＞
次に、本考案の第２実施形態について、図面を参照して説明する。
【００３５】
本実施形態に係る歯ブラシ１００は、図６に示すように、ＩｏＴ技術を利用したＩｏＴ機器であり、インターネットを介して外部と通信する機能を備えている点において前記第１実施形態とは異なる。
【００３６】
より具体的に説明すると、この歯ブラシ１００は、口内の情報である口内情報を取得する口内情報取得手段８０と、口内情報を外部に出力するための出力手段９０とを備えており、この出力手段９０にＩｏＴ技術が用いられている。
【００３７】
口内情報取得手段８０は、口内に入れられるブラシ部Ｙに設けられており、例えば使用者による歯磨き中に口内情報を取得することができる。
【００３８】
口内情報取得手段８０の一例としては、撮像装置８１や温度センサ８２などを挙げることができ、口内情報としては、撮像装置８１により撮像された口内の静止画や動画などの撮像データや、温度センサ８２により検出された口内の温度を示す温度データなどを挙げることができる。
【００３９】
なお、口内情報取得手段８０として撮像装置８１を用いる場合、例えば前記第１実施形態で述べた光源３０を、撮像装置８１の照明用光源として用いても良いし、もちろん前記第１実施形態で述べた光源３０とは別に照明用光源を設けても良い。このような照明用光源から発する照明光の光量、波長のコントロールはもちろんのこと、撮像装置８１のコントロールは、クラウドサーバを利用した通信システムにより調整することができる。
【００４０】
また、口内情報取得手段８０の別の一例としては、ジャイロセンサ（不図示）を挙げることができ、このジャイロセンサにより検出されるジャイロ情報を口内に入れられた歯ブラシの姿勢（向き）データを口内情報として用いてもよい。このように歯ブラシの姿勢データを口内情報として用いることで、例えば上述した撮像装置８１により撮像された歯の撮像データを、そうの歯の場所（歯の番号）と結びつけることができる。
【００４１】
出力手段９０は、図６に示すように、本体部Ｘに設けられており、例えばＷｉ−ＦｉやＢｌｕｅｔｏｏｔｈ等のインターネットを介して外部のコンピュータＣとの間で情報を授受するものである。
【００４２】
具体的にこの出力手段９０は、上述した口内情報取得手段が取得した口内情報を逐次取得するとともに、その構内情報を外部に逐次出力するように構成されている。なお、出力手段９０としては、例えば上述した撮像装置８１による撮像タイミングなどの設定データを外部から受信するように構成されていても良く、この設定データに基づいて撮像装置８１が動作するように構成しても良い。
【００４３】
本実施形態の歯ブラシ１００は、図６に示すように、外部メモリの所定領域に設定された口内情報蓄積部Ｃ１とともに健康管理システム２００を構築している。
【００４４】
この口内情報蓄積部Ｃ１は、例えば外部のコンピュータＣが備えるメモリに設定されており、上述した出力手段９０が出力した口内情報を、その口内情報が取得された取得時間（日時）と結びつけて時系列データとして蓄積するものである。
【００４５】
なお、口内情報蓄積部Ｃ１に蓄積された口内情報は、例えばクラウドサーバにアップロードできるようにしても良く、このアップロードされた口内情報を例えば認可済の診療所等における第３者が確認できるようにしても良い。
【００４６】
このように構成された歯ブラシ１００によれば、歯磨きをしながら口内情報を取得するとともに、その取得した口内情報を外部の口内情報蓄積部Ｃ１に出力して蓄積させるので、それらの口内情報の変動などを確認することで、日々の健康管理に資する。
具体的には、例えば口内の撮像データを蓄積していけば、虫歯や歯周病などの進行具合を確認することができ、その予防に役立つし、口内の温度データを蓄積していけば、例えば女性の排卵日の予測などに役立つ。
【００４７】
なお、本考案は前記第２実施形態に限られるものではない。
【００４８】
例えば、前記実施形態の出力手段９０は、インターネットを介して口内情報を外部に出力するものであったが、出力手段としては、例えばＵＳＢやＳＤカード等の着脱式の記憶媒体を介して口内情報を外部に出力するものであっても良いし、有線ケーブルを介して口内情報を外部に出力するものであっても良い。
【００４９】
また、前記実施形態の口内情報蓄積部Ｃ１は、外部のコンピュータＣのメモリに設定されていたが、口内情報蓄積部Ｃ１としてはクラウドサーバに設けられていてもよい。
【００５０】
さらに、前記実施形態の歯ブラシ１００は、口内情報取得手段８０として撮像装置８１及び温度センサ８２の双方を備えていたが、本考案に係る歯ブラシ１００としては、これらの少なくとも一方を備えるものであれば良い。
【００５１】
その他、本考案は前記実施形態に限られず、その趣旨を逸脱しない範囲で種々変形が可能である。
【符号の説明】
【００５２】
１００・・・歯ブラシ
Ｘ    ・・・本体部
Ｙ    ・・・ブラシ部
１０  ・・・グリップ部
２０  ・・・ヘッド部
Ｂ    ・・・ブラシ
３０  ・・・光源
Ｓ    ・・・オン・オフスイッチ
Ｚ    ・・・着脱パーツ
８０  ・・・口内情報取得手段
９０  ・・・出力手段
Ｃ１  ・・・口内情報蓄積部
【図１】
0003227705.tif 000003
【図２】
0003227705.tif 000004
【図３】
0003227705.tif 000005
【図４】
0003227705.tif 000006
【図５】
0003227705.tif 000007
【図６】
0003227705.tif 000008
【手続補正書】
【提出日】令和2年5月22日(2020.5.22)
【手続補正１】
【補正対象書類名】実用新案登録請求の範囲
【補正対象項目名】全文
【補正方法】変更
【補正の内容】
【実用新案登録請求の範囲】
【請求項１】
本体部と、
前記本体部に着脱可能なブラシ部と、
前記本体部に設けられて４００ｎｍ以上の可視光を射出する光源とを備え、
前記光源からの可視光が、前記ブラシ部に導かれて当該ブラシ部から射出されることを特徴とする歯ブラシ。
【請求項２】
前記光源から射出される光が、４８０ｎｍ以上５２０ｎｍ以下の可視光であることを特徴とする請求項１記載の歯ブラシ。
【請求項３】
前記本体部が、前記光源が設けられて使用者に把持されるグリップ部を有し、
前記ブラシ部が、複数本のブラシが設けられて前記グリップ部の先端部に着脱可能なヘッド部を有し、
前記ヘッド部が、前記ブラシが設けられた先端部から前記グリップ部に着脱される基端部に亘って透光性を有するものであり、前記光源からの可視光を前記ブラシに導く導光部材として機能することを特徴とする請求項１又は２記載の歯ブラシ。
【請求項４】
前記本体部の先端部が使用者の口内に入れられる構成において、
前記ブラシ部が、複数本のブラシと、前記複数本のブラシの毛元が植設されるとともに前記本体部の前記先端部に対して着脱可能な着脱パーツとを有する、請求項１又は２記載の歯ブラシ。
【請求項５】
前記光源からの可視光を前記ブラシの毛元に集光するレンズ部をさらに備えることを特徴とする請求項３又は４記載の歯ブラシ。
【請求項６】
前記ブラシ部に設けられて、口内の情報である口内情報を取得する口内情報取得手段と、
前記口内情報取得手段により取得された前記口内情報を外部に出力するための出力手段とをさらに備えることを特徴とする請求項１乃至５のうち何れか一項に記載の歯ブラシ。
【請求項７】
前記口内情報取得手段が、口内を撮像する撮像装置又は口内の温度を検出する温度センサの少なくとも何れかであることを特徴とする請求項６記載の歯ブラシ。
【請求項８】
請求項６又は７記載の歯ブラシと、
前記出力手段により出力された前記口内情報を蓄積する口内情報蓄積部とを備えることを特徴とする健康管理システム。